Podtech/llm-jp-corpus-v4-ja_patent huggingface dataset:
【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
第１の管腔を規定するシリンジボディと、
前記第１の管腔内に移動可能に配置された第１のプランジャーであって、中空状に形成されそれにより前記第１の管腔から分離された第２の管腔を規定する第１のプランジャーと、
前記第２の管腔内に移動可能に配置された第２のプランジャーと、を備え、
前記第１の管腔および前記第２の管腔の一方に液状の希釈剤が収容され、前記第１の管腔および前記第２の管腔の他方に医薬品有効成分が収容され、
前記第２のプランジャーは、前記医薬品有効成分と前記液状の希釈剤とが混合され、それにより前記医薬品有効成分が前記希釈剤により希釈されるように移動可能であり、
前記第１のプランジャーおよび／または前記第２のプランジャーは、希釈された医薬品有効成分が前記シリンジから排出されるように移動可能であることを特徴とするシリンジ。
【請求項２】
前記第２のプランジャーは、前記医薬品有効成分もしくは前記液状の希釈剤を保持することを特徴とする請求項１記載のシリンジ。
【請求項３】
前記第２のプランジャーは、前記第２のプランジャーにより保持されている前記医薬品有効成分もしくは前記液状の希釈剤が、第１の管腔内に移動するように移動可能であることを特徴とする請求項２記載のシリンジ。
【請求項４】
前記第２のプランジャーは、前記医薬品有効成分または前記液状の希釈剤を保持するように構成された第１の部分と、ユーザーにより操作される部分を含む第２の部分と、を有し、
前記第１の部分と、前記第２の部分とは、別々の部材として作製され、前記シリンジの組み立て中、互いに組み付けられることを特徴とする請求項２または３に記載のシリンジ。
【請求項５】
前記第２のプランジャーの第２の部分は、前記第２のプランジャーの第１の部分の断面直径より大きい断面直径を有することを特徴とする請求項４記載のシリンジ。
【請求項６】
前記第２のプランジャーは、前記医薬品有効成分と前記液状の希釈剤とが前記第１の管腔において混ぜ合わされるように移動可能であることを特徴とする請求項１〜５のいずれかに記載のシリンジ。
【請求項７】
前記シリンジボディ、前記第１のプランジャー、および前記第２のプランジャーは、実質的に同軸上に配置されていることを特徴とする請求項１〜６のいずれかに記載のシリンジ。
【請求項８】
前記第２のプランジャーの少なくとも一部が、前記シリンジから取り外されることが可能であることを特徴とする請求項１〜７のいずれかに記載のシリンジ。
【請求項９】
さらに、取り外し可能なロッキング部材を備え、
前記ロッキング部材は、前記ロッキング部材が前記シリンジに取り付けられた場合、前記第２のプランジャーの前記第１のプランジャーに対する移動が抑制されるように構成され、
前記第２のプランジャーは、前記ロッキング部材が前記シリンジから取り外された場合、前記第１のプランジャーに対して移動することができることを特徴とする請求項１〜８のいずれかに記載のシリンジ。
【請求項１０】
前記第２のプランジャーに、穴の開いたディスクが取り付けられ、前記穴の開いたディスクは、第２のプランジャーの一部が前記第１の管腔内において前後に移動することができるように前記第１の管腔内に配置されていることを特徴とする請求項１〜９のいずれかに記載のシリンジ。
【請求項１１】
前記医薬品有効成分は、前記医薬品有効成分と前記液状の希釈剤とが混ぜ合わされる前において乾燥した状態であることを特徴とする請求項１〜１０のいずれかに記載のシリンジ。
【請求項１２】
前記医薬品有効成分は、前記医薬品有効成分と前記液状の希釈剤とが混ぜ合わされる前において、溶液または懸濁液の形態であることを特徴とする請求項１〜１０のいずれかに記載のシリンジ。
【請求項１３】
前記希釈剤が自己乳化オイルの形態であることを特徴とする請求項１２に記載のシリンジ。
【請求項１４】
前記第２のシリンジの少なくとも一部が、取り外し可能であることを特徴とする請求項１〜１３のいずれかに記載のシリンジ。
【請求項１５】
医薬品有効成分を混合およびシリンジから排出する方法であって、
シリンジは、シリンジボディと、前記シリンジボディにより規定される第１の管腔内において移動可能に配置された第１のプランジャーと、前記第１のプランジャーにより規定された第２の管腔内において移動可能に配置された第２のプランジャーと、前記第１の管腔および前記第２の管腔のいずれか一方に含まれる液状の希釈剤と、前記第１の管腔および前記第２の管腔のもう一方に含まれる医薬品有効成分と、を含み、
-第２のプランジャーを移動させて、医薬品有効成分と液状の希釈剤とを混ぜ合わせる工程と、
-医薬品有効成分と液状の希釈剤とを混合して、それにより、希釈された医薬品有効成分を得る工程と、
-希釈された医薬品有効成分がシリンジから排出されるように第１のプランジャーおよび／または第２のプランジャーを移動させる工程と、を備える方法。
【請求項１６】
前記第２のプランジャーを移動させる工程により、前記医薬品有効成分と前記液状の希釈剤とを前記第１の管腔において混ぜ合わせ、
前記医薬品有効成分と前記液状の希釈剤とを混合する工程が、前記第２のプランジャーを前記第１の管腔において前後に移動させることを含むことを特徴とする請求項１５に記載の方法。
【請求項１７】
前記第２のプランジャーを前記第１のプランジャーに対する移動に対抗してロックする工程をさらに備え、
当該工程は、前記医薬品有効成分と前記液状の希釈剤とを混合する工程の後であって、前記第１のプランジャーおよび／または前記第２のプランジャーの移動工程の前に行われることを特徴とする請求項１５または１６に記載の方法。
【請求項１８】
前記第２のプランジャーをロックする工程が、前記シリンジにロッキング部材を取り付けることにより行われることを特徴とする請求項１７に記載の方法。
【請求項１９】
前記ロッキング部材が、保管中、前記シリンジに取り付けられ、当該方法は、前記第２のプランジャーを移動させる前に、前記ロッキング部材を取り除く工程をさらに含む請求項１８記載の方法。
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
触媒総質量に対して１〜５０質量％のニッケルを炭素担体上に含み、レニウムをまったく含まない水素化触媒であって、該担体がニッケル塩溶液で含浸され、次いで乾燥され、３００℃を超える温度で還元されたものである水素化触媒。
【請求項２】
椰子殻炭が担体として用いられる請求項１に記載の水素化触媒。
【請求項３】
上記炭素担体が、熱、スチーム、酸で、あるいは化学的に処理されている請求項１または２に記載の水素化触媒。
【請求項４】
上記担体の平均粒子径が０．５〜５ｍｍの範囲である請求項１〜３のいずれか一項に記載の水素化触媒。
【請求項５】
上記炭素担体をニッケル塩溶液で含浸させ、次いで該含浸担体を乾燥させ、次いで該乾燥担体を３００℃を超える温度で還元させる請求項１〜４のいずれか一項に記載の水素化触媒の製造方法。
【請求項６】
還元が４００〜６００℃の温度で行われる請求項５に記載の方法。
【請求項７】
上記担体が、含浸の前に熱、スチーム、酸により、あるいは化学的に前処理される請求項５または６に記載の方法。
【請求項８】
ソルビトールの水素化によるグリコールの製造方法であって、該水素化が請求項１〜４のいずれか一項に記載の水素化触媒を用いて行われる方法。
【請求項９】
グルコースの水素化によるソルビトールの製造方法であって、該水素化が請求項１〜４のいずれか一項に記載の水素化触媒を用いて行われる方法。
【請求項１０】
上記水素化が連続的に行われ、水素化触媒が固定床として用いられる請求項８または９に記載の方法。
【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
可撓性材料のトップシート（２；２２）及びボトムシート（３；２３）を含み、互いに接合されて２つのエンドエッジ（４）及び２つのサイドエッジ（５）を形成している細胞培養のための膨張可能なバイオリアクターバッグ（１）であって、１つのバッフル（６）又は複数のバッフル（６）が、２つのエンドエッジ（４）のいずれか１つまでの最短距離が２つのエンドエッジ間の最短距離の約四分の一より大きい領域でボトムシートから伸延する、膨張可能なバイオリアクターバッグ。
【請求項２】
バッフル（６）がボトムシート（３；２３）及びトップシート（２；２２）に接合されている、請求項１記載の膨張可能なバイオリアクターバッグ。
【請求項３】
少なくとも１つのバッフル（６）、例えば２つのバッフルが管状である、請求項１又は請求項２記載の膨張可能なバイオリアクターバッグ。
【請求項４】
管状バッフルが、バッフル１つに付き１つの細胞懸濁液ディフューザーを介してボトムシートに、かつバッフル１つに付き１つの入口／出口ポートを介してトップシートに接合され、任意には、少なくとも１つの、例えば各々の、細胞懸濁液ディフューザー（１０；２０；３０）が、ボトムリング（２４；３４）又はプレート、ボトムリング又はプレートをチューブコネクター（２７；３７）に結合する複数のストラット（２５；３５）、及びストラット間の複数の開口（２６；３６）を含む、請求項３記載の膨張可能なバイオリアクターバッグ。
【請求項５】
トップシートの少なくとも１つのポート（４２；５２）が、さらに、バッグ（４１；５１）の外部でフィルター（４３；５３）又は重力デバイスのような少なくとも１つの細胞分離装置に接続され、フィルター（４３；５３）が、任意には、中空糸カートリッジのような保持液側及び透過液側を有するミクロフィルター又はウルトラフィルターである、請求項４記載の膨張可能なバイオリアクターバッグ（４１；５１）。
【請求項６】
請求項１乃至請求項５のいずれか１項記載の膨張可能なバイオリアクターバッグ（１）が、エンドエッジ（４）とほぼ平行な可動軸（７）の回りでベース（９）に対して旋回可能に載置された支持体（８）上に載置されているバイオリアクター。
【請求項７】
ａ）ポリマー材料のトップシート及びボトムシートからなり、互いに接合されて２つのエンドエッジ（４）及び２つのサイドエッジ（５）を形成する膨張可能なバイオリアクターバッグであって、１つのバッフル（６）又は複数のバッフル（６）が、２つのエンドエッジのいずれか１つまでの最短距離が２つのエンドエッジ間の距離の約四分の一より大きい領域でボトムシートから伸延する、膨張可能なバイオリアクターバッグを提供するステップ、
ｂ）エンドエッジとほぼ平行な可動軸の回りでベースに対して旋回可能に載置された支持体上にバイオリアクターバッグを載置するステップ、
ｃ）細胞培養培地及び細胞接種材料をバッグに供給するステップ、
ｄ）可動軸を中心にして支持体を揺動し、トップシート内のポートを介して少なくとも１つのガスを供給することにより提供される攪拌下でバッグ内の細胞を培養して細胞懸濁液を形成するステップ
を含む、細胞培養方法。
【請求項８】
少なくとも１つのバッフルが管状であり、細胞懸濁液ディフューザーを介してボトムシートに、かつ入口／出口ポートを介してトップシートに結合されており、方法が、さらに、ｂ’）トップシートの入口／出口ポートをフィルターのような少なくとも１つの細胞分離装置及びポンプに接続するステップ、及びｄ）細胞懸濁液ディフューザー及び管状バッフルを介して細胞分離装置又はフィルターに細胞懸濁液を循環させるステップを含む、請求項７記載の方法。
【請求項９】
フィルターがミクロフィルターであって、標的生体分子をステップｄ）で透過液として回収し、保持液をバッグに再循環するか、或いはフィルターがウルトラフィルターであって、ステップｄ）で標的生体分子が保持液内に留まり、これをバッグに再循環する、請求項８記載の方法。
【請求項１０】
培養をバッチ又はフェドバッチモードで行い、培養の終了時細胞懸濁液を細胞懸濁液ディフューザー、管状バッフル及び出口ポートを介して、さらに細胞分離装置を介してバッグから抜き出す、請求項７乃至請求項９のいずれか１項記載の方法。
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
以下のステップを含むスラウストキトリウム細胞を形質転換するための方法：
（ａ）コンピテントスラウストキトリウム細胞を提供するステップと、
（ｂ）選択可能なマーカーを含む組換え核酸を、前記コンピテントスラウストキトリウム細胞内に送達するステップと、
（ｃ）前記コンピテントスラウストキトリウム細胞を、前記選択可能なマーカーを含有しない細胞の増殖を減少させる選択剤を含有する培養培地中で培養するステップ。
【請求項２】
選択可能なマーカーは、抗生物質耐性遺伝子である、請求項１に記載の方法。
【請求項３】
選択剤は、抗生物質である、請求項２に記載の方法。
【請求項４】
抗生物質は、ゼオシンである、請求項３に記載の方法。
【請求項５】
前記ゼオシンは、５０μｇ／ｍＬを超える濃度で存在する、請求項４に記載の方法。
【請求項６】
前記ゼオシンは、約１００ｕｇ／ｍＬの濃度で存在する、請求項５に記載の方法。
【請求項７】
前記組換え核酸は、前記選択可能なマーカーとは異なる遺伝子発現カセットをさらに含む、請求項１に記載の方法。
【請求項８】
（ｄ）前記選択可能なマーカーを含有するコンピテントスラウストキトリウム細胞を単離するステップをさらに含む、請求項１に記載の方法。
【請求項９】
前記送達するステップは、前記組換え核酸でコーティングされた粒子の微粒子銃送達を含む、請求項１に記載の方法。
【請求項１０】
前記粒子は、金粒子を含む、請求項９に記載の方法。
【請求項１１】
前記培養培地は、約１０ｇ／Ｌ〜約４０ｇ／Ｌの塩を含有する、請求項１に記載の方法。
【請求項１２】
前記培養培地は、約１５ｇ／Ｌ〜約３５ｇ／Ｌの塩を含有する、請求項１に記載の方法。
【請求項１３】
前記培養培地は、約１８ｇ／Ｌ〜約３５ｇ／Ｌの塩を含有する、請求項１に記載の方法。
【請求項１４】
前記組換え核酸がチューブリンプロモーターを含む、請求項１に記載の方法。
【請求項１５】
前記チューブリンプロモーターのヌクレオチド配列は、配列番号１０と少なくとも８０％同一である、請求項１４に記載の方法。
【請求項１６】
前記組換え核酸は、△５エロンガーゼプロモーター又は△４デサチュラーゼプロモーターである、請求項１に記載の方法。
【請求項１７】
前記△５エロンガーゼプロモーターのヌクレオチド配列は、配列番号１９と少なくとも８０％同一である、請求項１６に記載の方法。
【請求項１８】
前記△４デサチュラーゼプロモーターのヌクレオチド配列は、配列番号２４と少なくとも８０％同一である、請求項１６に記載の方法。
【請求項１９】
前記組換え核酸がチューブリンターミネーターを含む、請求項１に記載の方法。
【請求項２０】
前記ターミネーターのヌクレオチド配列は、配列番号１４又は配列番号１８と少なくとも８０％同一である、請求項１９に記載の方法。
【請求項２１】
前記抗生物質耐性遺伝子がゼオシン耐性遺伝子である、請求項２に記載の方法。
【請求項２２】
前記組換え核酸が、前記選択可能なマーカーに動作可能に結合されるチューブリンプロモーターを含む、請求項１に記載の方法。
【請求項２３】
前記チューブリンプロモーターのヌクレオチド配列は、配列番号１０と少なくとも８０％同一である、請求項２２に記載の方法。
【請求項２４】
前記選択可能なマーカーがゼオシン耐性遺伝子である、請求項２３に記載の方法。
【請求項２５】
前記選択可能なマーカーがｂｌｅ遺伝子である、請求項２３に記載の方法。
【請求項２６】
前記ｂｌｅ遺伝子が、Ｓｈ  ｂｌｅ遺伝子、Ｔｎ５  ｂｌｅ遺伝子、又はＳａ  ｂｌｅ遺伝子である、請求項２５に記載の方法。
【請求項２７】
前記細胞がＯＮＣ−Ｔ１８である、請求項１に記載の方法。
【手続補正２】
【補正対象書類名】明細書
【補正対象項目名】０００９
【補正方法】変更
【補正の内容】
【０００９】
ある特定の実施形態において、本発明は、スラウストキトリドもしくはスラウストキトリウムプロモーターまたはターミネーター等のスラウストキトリドもしくはスラウストキトリウム遺伝子素を含む単離された核酸分子を提供する。提供される単離された核酸分子中の例示のプロモーターには、チューブリンプロモーター（例えば、配列番号６または配列番号１０と少なくとも８０％、８５％、９０％、９２％、９５％、９７％、９８％、９９％、またはそれ以上の配列同一性を有する核酸配列）、△５エロンガーゼプロモーター（例えば、配列番号１９と少なくとも８０％の配列同一性を有する核酸配列）、および△４デサチュラーゼプロモーター（例えば、配列番号２４と少なくとも８０％、８５％、９０％、９２％、９５％、９７％、９８％、９９％、またはそれ以上の配列同一性を有する核酸配列）が含まれるが、これらに限定されない。提供される単離された核酸分子中の例示のターミネーターには、チューブリンターミネーター（例えば、配列番号１４または配列番号１８と少なくとも８０％、８５％、９０％、９２％、９５％、９７％、９８％、９９％、またはそれ以上の配列同一性を有する核酸配列）が含まれるが、これらに限定されない。
【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
たばこ煙濾過材料を含む長手方向に延びるコアと、
前記長手方向に延びるコアの周囲に結合された外部ラッパーと、を備えるたばこ煙フィルタ又はフィルタ要素であって、前記長手方向に延びるコアは、前記コアの下流端部から上流へ長手方向に延びる１本以上の流路を含み、
（ａ）前記長手方向に延びるコアは、たばこ煙濾過材料で作られた中空管を含むか、又は
（ｂ）前記長手方向に延びるコアは、長手方向に延びる内部本体に向かって概ね内部へ延びる複数の離間されたリブを有する長手方向に延びる管を備えた下流要素を含み、前記複数のリブがそれらの間に複数の長手方向に延びる流路を画定するか、又は
（ｃ）前記長手方向に延びるコアは、たばこ煙濾過材料で作られた長手方向に延びる下流コア、前記下流コアの周囲に結合された第１内部ラッパー、及び任意追加的に、前記第１内部ラッパーの周囲に結合された第２内部ラッパーを備える下流要素を含み、前記第１内部ラッパーは、前記第２内部ラッパー又は前記外部ラッパーと共に少なくとも１本の長手方向に延びる流路を画定する輪郭が定められた、例えば波形の、外面を有し、
前記外部ラッパーの下流端部及び／又は前記第１内部ラッパーの下流端部は、周囲に結合した前記コアの前記下流端部を越えて延び、前記フィルタの下流端部において空洞を画定する、たばこ煙フィルタ又はフィルタ要素。
【請求項２】
前記長手方向に延びるコアが、前記コアの全長にわたっては延びていないたばこ煙濾過材料で作られた中空管を含む、請求項１に記載のたばこ煙フィルタ又はフィルタ要素。
【請求項３】
たばこ煙濾過材料を含む長手方向に延びるコアと、前記長手方向に延びるコアの周囲に結合した外部ラッパーと、を備えるたばこ煙フィルタ又はフィルタ要素であって、
前記長手方向に延びるコアは、長手方向に延びる内部本体へ向かって概ね内部へ延びる複数の離間されたリブを有する長手方向に延びる管を備えた下流要素を含み、前記複数のリブがそれらの間に複数の長手方向に延びる流路を画定し、
前記外部ラッパーの下流端部は、外部ラッパーの下流端部が周囲に結合した前記コアの下流端部を越えて延び、前記フィルタの下流端部において空洞を画定する、たばこ煙フィルタ又はフィルタ要素。
【請求項４】
前記内部本体が、更なる長手方向に延びる流路を画定する、単数又は複数の内壁を有する中空内部本体である、請求項３に記載のたばこ煙フィルタ又はフィルタ要素。
【請求項５】
前記下流要素が単独の要素として一体的に形成される、請求項３又は４に記載のたばこ煙フィルタ又はフィルタ要素。
【請求項６】
前記下流要素が押し出し成形によって形成される、請求項３から５の何れか一項に記載のたばこ煙フィルタ又はフィルタ要素。
【請求項７】
たばこ煙濾過材料を含む長手方向に延びるコアと、前記長手方向に延びるコアの周囲に結合した外部ラッパーと、を備えるたばこ煙フィルタ又はフィルタ要素であって、
前記長手方向に延びるコアは、たばこ煙濾過材料で作られた長手方向に延びる下流コア、前記下流コアの周囲に結合した第１内部ラッパー、及び任意追加的に、前記第１内部ラッパーの周囲に結合した第２内部ラッパーを備える下流要素を含み、前記第１内部ラッパーは、前記第２内部ラッパー又は前記外部ラッパーと共に少なくとも１本の長手方向に延びる流路を画定する輪郭が定められた、例えば波形の、外面を有し、
前記外部ラッパーの下流端部及び／又は前記第１内部ラッパーの下流端部は、周囲に結合した前記コアの下流端部を越えて延び、前記フィルタの下流端部において空洞を画定する、たばこ煙フィルタ又はフィルタ要素。
【請求項８】
前記第１内部ラッパーは、前記輪郭が定められた、例えば波形の、面を前記外部ラッパー又は前記第２ラッパーに向けて前記コアの周囲に結合され、前記第２ラッパー又は前記外部ラッパーと共に前記長手方向に延びる、単数又は複数の流路を画定する、請求項７に記載のたばこ煙フィルタ又はフィルタ要素。
【請求項９】
少なくとも１本の長手方向に延びる流路が前記下流コアの前記下流端部から上流へ長手方向に延びる、請求項７又は８に記載のたばこ煙フィルタ又はフィルタ要素。
【請求項１０】
前記又はそれぞれの流路が前記下流コアの全長の一部にわたってのみ延びる、請求項９に記載のたばこ煙フィルタ又はフィルタ要素。
【請求項１１】
前記長手方向に延びるコアが、前記下流要素の上流に、たばこ煙濾過材料を備える１つ以上の追加要素を含む、請求項１から１０の何れか一項に記載のたばこ煙フィルタ又はフィルタ要素。
【請求項１２】
前記又は他の追加要素が、有孔又は無孔プラグラップのラッパーを任意追加的に更に備えるセルロースアセテート濾過材料で作られた長手方向に延びる円筒状プラグを備える、請求項１０又は１１に記載のたばこ煙フィルタ又はフィルタ要素。
【請求項１３】
前記又は他の追加要素が、微粒子添加物を更に備え、有孔又は無孔プラグラップのラッパーを任意追加的に更に備えるセルロースアセテート濾過材料で作られた長手方向に延びる円筒状プラグを備える、請求項１０から１２の何れか一項に記載のたばこ煙フィルタ又はフィルタ要素。
【請求項１４】
たばこ煙濾過材料を含む長手方向に延びるコアと、前記長手方向に延びるコアの周囲に結合した外部ラッパーと、を備えるたばこ煙フィルタ又はフィルタ要素であって、前記長手方向に延びるコアは、前記コアの下流端部から上流へ長手方向に延びる１本以上の流路を含み、前記外部ラッパーの下流端部は、周囲に結合した前記コアの前記下流端部を越えて延び、前記フィルタの下流端部において空洞を画定する、たばこ煙フィルタ又はフィルタ要素。
【請求項１５】
前記長手方向に延びるコアが、たばこ煙濾過材料で作られた中空管を含む、請求項１４に記載のたばこ煙フィルタ又はフィルタ要素。
【請求項１６】
前記外部ラッパーがプラグラップ紙などの紙である、請求項１から１５の何れか一項に記載のフィルタ又はフィルタ要素。
【請求項１７】
前記外部ラッパーが、約４０から約１２０ｇ／ｍ2の坪量を有する紙である、請求項１から１６の何れか一項に記載のフィルタ又はフィルタ要素。
【請求項１８】
被覆たばこ棒状体に、前記コアの第１端部を前記たばこに向けて接合した請求項１から１７の何れか一項に記載のフィルタ又はフィルタ要素を備えるフィルタシガレット。
【請求項１９】
鏡像関係で端部と端部を接続して一体的に接合された請求項１から１７の何れか一項に記載のフィルタ、又はフィルタ要素、を複数、例えば２つ、４つ、６つ等、備える複合棒状体。
【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
イメージングのための方法であって、
第１のイメージングモダリティで検査領域に位置する対象の投影データを収集するステップと、
軸横断方向にボクセルグリッドで視野を画定するステップと、
前記対象の最大軸横断範囲を決定するステップと、
前記視野のボクセルグリッドを、少なくとも前記決定された最大軸横断範囲及び前記軸横断方向の減衰を包含する前記視野の外側の少なくとも一つの拡張領域へ拡張することによって、拡張視野を生成するステップと、
前記収集された投影データを前記拡張視野の画像表現に反復的に再構成するステップと
を有する方法。
【請求項２】
前記拡張視野の前記再構成された画像表現に基づいて減衰マップを生成するステップと、
第２のイメージングモダリティで収集された前記対象の第２の投影データセットを生成するステップと、
前記減衰マップを使用することを含む、前記第２の投影画像データを再構成するステップと
をさらに有する請求項１に記載の方法。
【請求項３】
前記第１のイメージングモダリティからの投影データが前記第２のイメージングモダリティの投影データと同時に若しくは時間的に接近して収集される、請求項２に記載の方法。
【請求項４】
前記対象の範囲が前記対象の体重、前記対象の身長、及び患者集団データベースの少なくとも一つに従って推定される、請求項１乃至３のいずれか一項に記載の方法。
【請求項５】
前記対象の範囲が前記対象の事前に収集された画像から決定される、請求項１乃至３のいずれか一項に記載の方法。
【請求項６】
前記対象の範囲を決定するステップが、
前記対象の軸横断範囲よりも大きいことがわかっている視野内の粗いボクセルグリッドを画定するステップと、
前記大きな視野を粗い画像表現に再構成し、前記粗い画像表現は前記再構成された画像表現よりも低い分解能を持つ、ステップと、
前記粗い画像表現に基づいて前記対象の軸横断範囲を決定するステップと
を含む、請求項１乃至３のいずれか一項に記載の方法。
【請求項７】
前記拡張視野を決定するステップが、
前記収集された投影データ上に前記視野を順投影して視野フットプリントを画定するステップと、
前記視野フットプリントを前記投影データに存在する全減衰若しくは活性を含むように拡張するステップと
を含む、請求項１乃至３のいずれか一項に記載の方法。
【請求項８】
前記視野を拡張するステップが、
前記少なくとも一つの拡張領域を包含するように前記視野内のボクセルの数を増加するステップ、若しくは
前記少なくとも一つの拡張領域を包含するように前記視野内の各ボクセルのサイズを増加するステップ
の少なくとも一つを含む、請求項１乃至７のいずれか一項に記載の方法。
【請求項９】
前記視野のボクセル及び前記少なくとも一つの拡張領域のボクセルが異なるサイズを持つ、請求項８に記載の方法。
【請求項１０】
前記再構成画像表現が前記視野と前記拡張領域を含み、前記方法が、
前記ボクセルサイズを前記視野ボクセルグリッドのサイズへ縮小するように前記再構成された画像表現をリサンプリングするステップと、
前記画定された視野が目に見えるように前記リサンプリングされた画像表現を表示するステップと
をさらに含む、請求項８に記載の方法。
【請求項１１】
請求項１乃至１０のいずれか一項に記載の方法を実行するように一つ以上のプロセッサを制御するソフトウェアを備えるコンピュータ媒体。
【請求項１２】
請求項１乃至１０のいずれか一項に記載の方法を実行するようにプログラムされるプロセッサ。
【請求項１３】
第１のイメージングモダリティを用いて検査領域に位置する対象の投影データを収集する第１のイメージングスキャナと、
請求項１乃至１０のいずれか一項に記載の方法を実行するようにプログラムされる少なくとも一つのプロセッサと
を有する、イメージングスキャナ。
【請求項１４】
前記第１のイメージングスキャナがオフセット検出器を含むコーンビームコンピュータ断層撮影スキャナを含む、請求項１３に記載のイメージングスキャナ。
【請求項１５】
前記検査領域に位置する前記対象の核データを収集する核イメージングスキャナをさらに含み、
前記プロセッサがさらに、
前記拡張視野の前記反復的に再構成された画像表現に基づいて減衰マップを生成し、
前記減衰マップを用いて前記核データを再構成するようにプログラムされる、請求項１３又は１４に記載のイメージングスキャナ。
【請求項１６】
前記プロセッサが、
前記対象の体重、前記対象の身長、若しくは事前に収集された画像からの患者集団データベースから、又は、
前記対象の軸横断範囲よりも大きいことがわかっている粗い視野を画定し、前記粗い視野を粗い画像表現へ再構成し、前記粗い画像表現は前記反復的に再構成された画像表現よりも低い分解能を持ち、前記粗い画像表現に基づいて前記対象の軸横断範囲を決定することによって、又は、
前記収集された投影データ上に前記視野を順投影してフットプリントを画定し、前記フットプリントを前記収集された投影データに存在する全減衰若しくは活性を含むように拡張すること
の少なくとも一つから、前記対象の最大軸横断を決定するようにプログラムされる、請求項１３乃至１５のいずれか一項に記載のイメージングスキャナ。
【請求項１７】
前記プロセッサが、
前記少なくとも一つの拡張領域を包含するように前記視野内のボクセルの数を増加するステップ、及び
前記少なくとも一つの拡張領域を包含するように前記視野内の各ボクセルのサイズを増加するステップ
の少なくとも一つによって、前記視野を拡張するようにプログラムされる、請求項１３乃至１６のいずれか一項に記載のイメージングスキャナ。
【請求項１８】
軸横断方向にボクセルグリッドで視野を画定するための手段と、
対象の最大軸横断範囲を決定するための手段と、
前記視野のボクセルグリッドを、少なくとも前記決定された最大軸横断範囲及び前記軸横断方向の全減衰を包含する前記視野の外側の少なくとも一つの拡張領域へ拡張することによって、拡張視野を生成するための手段と、
前記収集された投影データを前記拡張視野の画像表現に反復的に再構成するための手段と
を有するイメージングスキャナ。
【請求項１９】
検査領域内の対象のコンピュータ断層撮影投影データを収集するオフセット検出器を含む拡張視野コンピュータ断層撮影スキャナと、
前記検査領域内の前記対象の核投影データを収集する核イメージングスキャナと、
前記コンピュータ断層撮影投影データにおいて軸横断方向にボクセルグリッドで視野を画定するステップと、
前記対象の最大軸横断範囲を決定するステップと、
前記視野の前記ボクセルグリッドを、少なくとも前記決定された最大軸横断範囲及び前記軸横断方向の全減衰を包含する前記視野の外側の少なくとも一つの拡張領域へ拡張することによって、拡張視野を生成するステップと、
前記コンピュータ断層撮影投影データを前記拡張視野の減衰マップに反復的に再構成するステップと
を実行するようにプログラムされる少なくとも一つのコンピュータ断層撮影再構成プロセッサと、
前記反復的に再構成された減衰マップに基づいて前記収集された核投影データを補正するようにプログラムされる少なくとも一つの核再構成プロセッサと
を有する、マルチモダリティイメージングシステム。
【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
脳血液動態測定装置であって、
少なくとも１つのプロセッサであって、前記少なくとも１つのプロセッサは、
少なくとも１つの頭部生体インピーダンス測定値を特徴付ける少なくとも１つの信号を受信する、ことと、
前記少なくとも１つの信号と心臓波のタイミングとを相関させる、ことと、
前記心臓波により規定される時間的期間中の前記少なくとも１つの信号を分析することにより、前記時間的期間中における前記少なくとも１つの信号における少なくとも１つの予想特性の程度を確認する、ことと、
前記少なくとも１つの信号における前記少なくとも１つの予想特性の前記程度に基づいて生理学的脳状態を予測するための情報を出力する、ことと、
を行うよう構成される、プロセッサ、
を含む、脳血液動態測定装置。
【請求項２】
前記少なくとも１つの信号は、それぞれが対象者の脳の異なる脳半球に関する少なくとも２つの生体インピーダンス信号を含み、前記少なくとも２つの生体インピーダンス信号は相互に対して同期される、請求項１記載の脳血液動態測定装置。
【請求項３】
前記少なくとも１つの予想特性は生体インピーダンス信号におけるフィーチャの高さ、遅延、幅、およびタイミングのうちの少なくとも１つに関する、請求項１記載の脳血液動態測定装置。
【請求項４】
前記少なくとも１つの予想特性は生体インピーダンス信号における第１のピーク、第２のピーク、および第３のピークのうちの少なくとも１つに関する、請求項１記載の脳血液動態測定装置。
【請求項５】
前記少なくとも１つの信号は、対象者の脳の第１の脳半球に関する第１の信号と前記対象者の脳の第２の脳半球に関する第２の信号とを含み、前記プロセッサは、前記第１の信号の部分と前記第２の信号の部分との比較に少なくとも部分的に基づいて生理学的脳状態を予測するよう構成される、請求項１記載の脳血液動態測定装置。
【請求項６】
前記プロセッサは、前記心臓波により規定される事前規定された対象時間的期間中の前記第１の信号および前記第２の信号のうちの少なくとも１つの部分を分析するようさらに構成される、請求項５記載の脳血液動態測定装置。
【請求項７】
前記少なくとも１つの予想特性は、ピーク位置、最小値位置、予測されるピーク位置、および予測される最小値位置のうちの１つ以上を含む、請求項１記載の脳血液動態測定装置。
【請求項８】
分析することは、前記少なくとも１つの信号を、前記少なくとも１つの予想特性と前記少なくとも１つの信号との間の相関程度に基づく予測に適合させることを含む、請求項１記載の脳血液動態測定装置。
【請求項９】
前記プロセッサは、前記少なくとも１つの信号におけるフィーチャを脳血流画像情報で較正するようさらに構成される、請求項１記載の脳血液動態測定装置。
【請求項１０】
分析することは、表示された生理学的状態に基づいて、予想特性付近の時間的期間に注目することを含む、請求項４記載の脳血液動態測定装置。
【請求項１１】
相関させることは、前記少なくとも１つの信号と同時心臓周期のタイミングとを同期することを含む、請求項１記載の脳血液動態測定装置。
【請求項１２】
相関させることは、前記少なくとも１つの信号の部分と心臓周期に以前に相関された既知の信号とを比較することにより、前記少なくとも１つの信号と心臓周期とのタイミングの一致を検出することを含む、請求項１記載の脳血液動態測定装置。
【請求項１３】
生理学的脳状態を予測するための方法であって、
少なくとも１つの頭部生体インピーダンス測定値を特徴付ける少なくとも１つの信号を受信することと、
前記少なくとも１つの信号と心臓波のタイミングとを相関させることと、
前記心臓波により規定される時間的期間中の前記少なくとも１つの信号を分析することにより、前記時間的期間中の前記少なくとも１つの信号における少なくとも１つの予想特性の程度を確認することと、
前記少なくとも１つの信号における前記少なくとも１つの予想特性の前記程度に基づいて生理学的脳状態を予測するための情報を出力することと、
を含む、方法。
【請求項１４】
前記少なくとも１つの信号は、それぞれが対象者の脳の異なる脳半球に関する生体インピーダンス測定値を特徴付ける少なくとも２つの信号を含み、前記少なくとも２つの信号を相互に対して同期することをさらに含む、請求項１３記載の方法。
【請求項１５】
前記少なくとも１つの予想特性は生体インピーダンス信号におけるフィーチャの高さ、遅延、幅、およびタイミングのうちの少なくとも１つに関する、請求項１３記載の方法。
【請求項１６】
前記少なくとも１つの予想特性は生体インピーダンス曲線における第１のピーク、第２のピーク、および第３のピークのうちの少なくとも１つに関する、請求項１３記載の方法。
【請求項１７】
前記少なくとも１つの信号は、対象者の脳の第１の脳半球に関する第１の信号と前記対象者の脳の第２の脳半球に関する第２の信号とを含み、前記プロセッサは、前記第１の信号の部分と前記第２の信号の部分との比較に少なくとも部分的に基づいて生理学的脳状態を予測するよう構成される、請求項１３記載の方法。
【請求項１８】
前記心臓波により規定される事前規定された対象時間的期間中の前記第１の信号または前記第２の信号の部分を分析することをさらに含む、請求項１７記載の方法。
【請求項１９】
前記少なくとも１つの予想特性は、ピーク位置、最小値位置、予測されるピーク位置、および予測される最小値位置のうちの１つ以上を含む、請求項１８記載の方法。
【請求項２０】
分析することは、前記少なくとも１つの信号を、前記少なくとも１つの予想特性と前記少なくとも１つの信号との間の相関程度に基づく予測に適合させることをさらに含む、請求項１３記載の方法。
【請求項２１】
前記少なくとも１つの信号におけるフィーチャを脳血流画像情報で較正することをさらに含む、請求項１３記載の方法。
【請求項２２】
分析することは、表示された生理学的状態に基づいて、予想特性付近の少なくとも１つの時間的期間に注目することを含む、請求項１３記載の方法。
【請求項２３】
相関させることは、前記少なくとも１つの信号と同時心臓周期のタイミングとを同期することを含む、請求項１３記載の方法。
【請求項２４】
相関させることは、前記少なくとも１つの信号の部分と心臓周期に以前に相関された既知の信号とを比較することにより、前記少なくとも１つの信号と心臓周期とのタイミングの一致を検出することをさらに含む、請求項１３記載の方法。
【手続補正書】
【提出日】平成27年2月4日(2015.2.4)
【手続補正１】
【補正対象書類名】明細書
【補正対象項目名】００７９
【補正方法】変更
【補正の内容】
【００７９】
第一のカラー２０に連結されたキャリア７は、制御ばね１９によって駆動されて近位方向Ｐに並進運動される。シリンジ３がシャーシ２とのジョイント軸方向並進運動するために配置されるので、シリンジ３及び針４も並進運動され、その結果、針４が近位端Ｐから突き出て、そして注射部位内に挿入される。トリガボタン１３はケース１２に対してその初期位置に戻り、そして、図１６Ａにおける状態Ａのように、キャリア７からケース１２にラッチバックする（latch back）。キャリア７は更に近位方向Ｐに並進運動して近位ビーム１３．１の内向き偏向を防ぎ、従って外向き第一のランプ１３．２は第一のケース戻り止め１２．１から係合解除できない。
【手続補正２】
【補正対象書類名】明細書
【補正対象項目名】００９７
【補正方法】変更
【補正の内容】
【００９７】
図１７は、プランジャ解放機構２７の代替実施態様の等角図である。プランジャ開放機構２７は、キャリア７が針の伸長のために近位方向Ｐに動かされるまで、キャリア７に対して近位方向Ｐへのプランジャ９の動きを防ぐ。キャリア７及びトリガボタン１３の相対運動がプランジャ９の開放をトリガするために使用される、図１５のプランジャ開放機構２７とは反対に、図１７の代替実施態様は、第二のカラー２１に対してキャリア７の動きによってプランジャ９を開放する。図１７は、プランジャの開放前のプランジャ開放機構２７を図示する。第二のカラー２１は、明確さを改善するために透明に示される。プランジャ９は駆動ばね８によって近位方向Ｐに押されている。プランジャ９が前進するために、それはキャリア７上の第十二のランプ７．８の周りを回転しなければならない。プランジャ９上のランプ部材９．１は、これを第十二のランプ７．８と係合するように配置される。ランプ部材９．１の回転は、キャリア７中の縦方向開口部７．９においてスプライン係合された第二のカラー２１上の内向き縦方向のリブ２１．５によってブロックされる。ケース１２及び第二のカラー２１は同じ位置に留まる、つまり、ジョイント軸方向並進運動のために互いに連結される。トリガボタン１３の押し下げの際に、トリガボタン１３及び駆動サブアセンブリの部分であるプランジャ９は、最初はトリガボタン１３を押し付けている使用者によって、そして次いで、上述の通り、第一のカラー２０を介して引き継いでいる制御ばね１９によって近位方向Ｐに動かされる。一旦、キャリア７が第二のカラー２１に対して近位方向Ｐに十分遠くに動くと、シャーシ２上のランプ部材９．１は第二のカラー２１上の縦方向のリブ２１．５から離れるようになり（comes clear of）、そして駆動ばね８の負荷の下で第十二のランプ７．８へのそのランプ係合のせいで、縦方向のリブ２１．５の近位端を過ぎて回転できる。従って、薬剤Ｍを排出するために、駆動ばね８はプランジャ９を近位方向Ｐに前進させる。
【手続補正３】
【補正対象書類名】明細書
【補正対象項目名】０１０２
【補正方法】変更
【補正の内容】
【０１０２】
第一のクリップ７．１２は、キャリア７上の外側に向かって付勢された弾力ビームとして配置され、キャリア７から近位方向Ｐに伸びている。第一のクリップ７．１２は、シャーシ２が押し下げられる前に、又はむしろケース１２が皮膚接触の際に並進運動される前に、キャリア７が近位方向Ｐに動かされるのを防ぐように配置される。第一のクリップ７．１２は、隣り合った二つのセクションで構成される。第一のセクション７．１４は、凹部においてシャーシ２を隣接することによってキャリア７の近位方向Ｐへの動きを防ぐ。第二のセクション７．１５は、第一のクリップ７．１２を開放するためにシャーシ２上のランプ機能１２．６によって内側に向かって傾斜されるように配置された外側に向かって突き出ているクリップ頭部として配置され、そうすることによって、ケース１２が皮膚との接触の際に近位方向Ｐに並進運動されているとき、キャリア７をシャーシ２からロック解除する。シャーシ２中の縦方向スロット２．７は、一旦ロックが解除された際に、第二のセクション７．１５が近位方向Ｐに摺動できるように配置される。第一のクリップ７．１２とシャーシ２の間の僅かな摩擦力によって、後退を確保するために要求される減速力が供される。
【手続補正４】
【補正対象書類名】明細書
【補正対象項目名】０１１４
【補正方法】変更
【補正の内容】
【０１１４】
ケース１２は、図１〜１６におけるものの他に、閉鎖遠位端面１２．１０を有するケース１２と同じ部材である。内部トリガボタン１３はケース１２の内部の遠位端に配置される。図１〜１６におけるものの他に、トリガボタン１３は見ることができず、また如何なる状態においてもケース１２から突き出ることもない。初期状態において、隙間３３はケース１２の遠位端面１２．１０と内部トリガボタン１３の間に設けられ、トリガボタン１３をじゃますることなくケース１２の幾らかの走行を可能にする。
【手続補正５】
【補正対象書類名】明細書
【補正対象項目名】０１１６
【補正方法】変更
【補正の内容】
【０１１６】
シャーシ２が注射部位に抗して位置するので、ケース１２はシャーシ２に対して近位方向Ｐに、スリーブの走行の第一の段階における前進した位置内に並進運動して、ケース１２の遠位端面１２．１０と内部トリガボタン１３の間の隙間３３を取り除く。図１〜１６の実施態様における通り、この動きによって、戻り止め機構１８及びトリガボタン１３をロック解除する。使用者がアウリーブの走行の第二の段階においてケース１２を押し下げ
続け、そのことによって、それを近位方向Ｐに更に前進させるので、遠位端面１２．１０は内部トリガボタン１３をヒットし、そうすることによって、第一のカラー２０がシャーシ２から開放され、そして制御ばねの力がキャリア７上に連結されるまでそれを押し下げる。キャリア７は次いで、内部トリガボタン１３がケース１２中の別のリブ上で止まり、そしてプランジャ開放機構２７が開放されるまで、前進する（注：栓１４はこの実施態様において、より短い）。
【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
配列番号１４と少なくとも９５％の同一性を有する第１のポリヌクレオチドセグメントおよび配列番号１５と少なくとも９５％の同一性を有する第２のポリヌクレオチドセグメントを含むゲノムを含むトランスジェニックダイズ植物細胞。
【請求項２】
受託番号ＰＴＡ−１１３３６でアメリカンタイプカルチャーコレクション（ＡＴＣＣ）に寄託されている代表的な種子に存在するイベントｐＤＡＢ８２６４．４４．０６．１を含むゲノムを含むダイズ種子。
【請求項３】
請求項１に記載の細胞を含むダイズ種子。
【請求項４】
前記イベントを含む、請求項２に記載の種子を生育させることによって生成されるダイズ植物。
【請求項５】
イベントｐＤＡＢ８２６４．４４．０６．１を含む、請求項４に記載のダイズ植物の後代植物。
【請求項６】
複数の請求項１に記載の細胞を含むトランスジェニックダイズ植物。
【請求項７】
前記細胞が昆虫抵抗性遺伝子をさらに含む、請求項６に記載の植物。
【請求項８】
フェノキシ酢酸除草剤、フェノキシブタン酸除草剤、ピリジルオキシアルカン酸除草剤、グリホサート除草剤およびグルホシネート除草剤からなる群から選択される少なくとも１つの除草剤に抵抗性であり、配列番号１３の残基２０２６〜９２２２を含むトランスジェニックゲノム挿入物を含む、請求項６に記載の植物。
【請求項９】
受託番号ＰＴＡ−１１３３６でアメリカンタイプカルチャーコレクション（ＡＴＣＣ）に寄託されている代表的な種子に存在するイベントｐＤＡＢ８２６４．４４．０６．１を含むゲノムを含む植物細胞。
【請求項１０】
配列番号３〜２８からなる群から選択されるヌクレオチド配列を含む、単離されたポリヌクレオチド。
【請求項１１】
アリールオキシアルカノエート、ピリジルオキシアルカン酸、グリホサート、ビアラホス、フォスフィノスリシンまたはグルホシネート除草剤の少なくとも１つを圃場へ施用するステップを含み、前記圃場が請求項６に記載の植物を含む、雑草の防除方法。
【請求項１２】
前記除草剤の少なくとも２つを同時に又は連続的に施用するステップを含む、請求項１１に記載の方法。
【請求項１３】
前記アリールオキシアルカノエート除草剤が、２，４−Ｄ、２，４−ＤＢ、ＭＣＰＡおよびＭＣＰＢからなる群から選択され、前記ピリジルオキシアルカン酸除草剤が、トリクロピルおよびフルロキシピルからなる群から選択される、請求項１１に記載の方法。
【請求項１４】
前記圃場へ少なくとも１つの追加の除草剤を施用するステップを含む、請求項１１に記載の方法。
【請求項１５】
前記少なくとも１つの追加の除草剤がジカンバである、請求項１４に記載の方法。
【請求項１６】
前記除草剤を前記圃場へ施用するステップ、および前記除草剤を施用してから１４日以内に圃場に種子を播種して植物を生育させるステップを含む、請求項１１に記載の方法。
【請求項１７】
前記施用ステップが前記播種ステップの前に実施される、請求項１６に記載の方法。
【請求項１８】
前記少なくとも１つの除草剤が前記植物の頂部の上側に施用される、請求項１１に記載の方法。
【請求項１９】
前記植物が、配列番号２７を含む核酸分子と少なくとも９５％の同一性を含むポリヌクレオチドをさらに含む、請求項６に記載の植物。
【請求項２０】
請求項６に記載の植物を生育させることによって生成される、ミールまたは油製品。
【請求項２１】
植物細胞のゲノムが配列番号２７を含むように該ゲノムの単一の染色体遺伝子座中に遺伝子導入により挿入される、発現カセット。
【請求項２２】
試料中のイベントｐＤＡＢ８２６４．４４．０６．１を同定するための方法であって、ＡＴＣＣ受託番号ＰＴＡ−１１３３６で寄託されている種子に存在するｐＤＡＢ８２６４．４４．０６．１の接合部配列を、前記接合部配列と特異的に結合するか前記接合部配列を特異的に増幅するプローブまたは少なくとも１つのプライマーで検出するステップを含み、前記接合部配列が、配列番号１４の残基５７０〜５７１または配列番号１５の残基２２０〜２２１を含む、方法。
【請求項２３】
少なくとも２つのプライマーを用いるポリメラーゼ連鎖反応を用いて、前記試料に存在する核酸のＤＮＡ断片を増幅するステップをさらに含み、前記第１のプライマーが、配列番号１３内の挿入物配列またはその相補配列に特異的に結合し、第２のプライマーが、配列番号１および配列番号２からなる群から選択される隣接配列内の配列に特異的に結合する、請求項２２に記載の方法。
【請求項２４】
第１のイベントプライマー、第２のイベントプライマー、参照フォワードプライマー、参照リバースプライマー、イベントプローブおよび参照プローブを含む、ＡＴＣＣ受託番号ＰＴＡ−１１３３６で寄託されている種子に存在するダイズイベントｐＤＡＢ−８２６４．４４．０６．１を含むダイズ植物のイベント接合性を判定する方法を実施するためのキット。
【請求項２５】
前記イベントプライマーが配列番号１８および配列番号１９からなり、前記参照プライマーが配列番号２４および配列番号２５からなり、前記イベントプローブが配列番号２０からなり、前記参照プローブが配列番号２６からなる、請求項２４に記載のキット。
【請求項２６】
前記プローブまたは前記少なくとも１つのプライマーを含む、請求項２２に記載の方法を実施するためのキット。
【請求項２７】
前記増幅されたＤＮＡ断片が約７１９６塩基を含む、請求項２３に記載の方法。
【請求項２８】
配列番号１、配列番号２、配列番号１４、配列番号１５およびその相補配列からなる群から選択される配列と少なくとも９５％同一であるプローブ。
【請求項２９】
少なくとも１５ヌクレオチドを含み、配列番号１および配列番号２からなる群から選択される核酸配列とストリンジェントな洗浄条件の下でハイブリダイゼーションを維持する、単離されたポリヌクレオチド分子。
【請求項３０】
配列番号２７または配列番号２７と少なくとも９５％同一であるその変異体を含む、請求項１に記載の植物細胞。
【請求項３１】
配列番号２８、配列番号２９、配列番号２８と少なくとも９５％同一である変異体、または配列番号２９と少なくとも９５％同一である変異体をさらに含む、請求項３０に記載の植物細胞。
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
電圧源に接続されるコンバータ、特にフライバックコンバータ又はバックブーストコンバータのスイッチを制御するためのコントローラであって、
前記コントローラは、前記電圧源の電圧信号を受信し、前記電圧信号の瞬時的振幅が高くなると前記コンバータの前記スイッチの導通時間の期間が長くなり、前記電圧源の電圧信号の瞬時的振幅が低くなると前記スイッチの導通時間の期間が短くなり、前記スイッチの導通時間の期間が前記電圧信号の振幅と設計パラメータとの和に実質的に比例するように、制御信号を発生する、
コントローラ。
【請求項２】
前記設計パラメータが他の電圧信号の振幅を有し、前記コンバータが前記スイッチに結合された一次コイル及び負荷に結合されるべき二次コイルを備えたトランスを有する前記フライバックコンバータである場合、前記他の電圧信号は前記一次コイルの巻線数により乗算されると共に前記二次コイルの巻線数により除算された該二次コイルの出力電圧を有し、前記コンバータが前記スイッチに結合されると共に負荷に接続されるべきコイルを有するバックブーストコンバータである場合、前記他の電圧信号が前記コイルの入力部の巻線数により乗算されると共に前記コイルの出力部の巻線数により除算された該コイルの出力電圧を有する請求項１に記載のコントローラ。
【請求項３】
前記コントローラが回路を有し、前記回路が、前記電圧信号を入力するための入力端子と、出力端子と、共通端子と、第１抵抗、第２抵抗及び第１電圧規定エレメントの第１直列接続並びに第３抵抗及び第２電圧規定エレメントの第２直列接続の並列接続と、電流通過エレメントとを有し、前記並列接続が前記入力端子及び前記出力端子に結合され、前記電流通過エレメントが前記出力端子及び前記共通端子に結合される請求項２に記載のコントローラ。
【請求項４】
前記電圧規定エレメントの各々がダイオード又はツェナーダイオードを有し、前記電流通過エレメントが第４抵抗を有する請求項３に記載のコントローラ。
【請求項５】
前記コントローラが前記スイッチの導通時間の期間がグランドに接続された外部エレメントにより定められるタイプのものであり、該外部エレメントの値の増加の結果として前記スイッチの導通時間の期間が増加され、該外部エレメントの値の減少の結果として前記スイッチの導通時間の期間が減少される請求項２に記載のコントローラ。
【請求項６】
前記外部エレメントが外部抵抗であり、前記回路が、前記電圧信号を入力する入力端子と、前記コントローラの制御入力端子に結合されるべき出力端子と、共通端子と、前記コントローラの電源端子に結合されるべき他の端子と、前記入力端子に結合された第１抵抗、電圧規定エレメント及び前記共通端子に結合された第２抵抗の第１直列接続と、制御電極が前記電圧規定エレメントと前記第２抵抗との間の接続点に結合され、第１主電極が前記共通端子に結合され、且つ、第２主電極が第３抵抗を介して前記他の端子に結合された第１トランジスタとを有し、該第１トランジスタの前記第２主電極は第２トランジスタの制御電極に結合され、該第２トランジスタの第１主電極は前記共通端子に結合され、該第２トランジスタの第２主電極は第４抵抗及び第５抵抗の第２直列接続を介して前記共通端子に結合され、前記第４抵抗と前記第５抵抗との間の接続点が前記出力端子に結合される請求項５に記載のコントローラ。
【請求項７】
前記外部エレメントは外部コンデンサであり、前記回路が、前記電圧信号を入力する入力端子と、前記コントローラの制御入力端子に結合されるべき出力端子と、共通端子と、前記入力端子に結合された第１抵抗、電圧規定エレメント及び前記共通端子に結合された第２抵抗の第１直列接続と、制御電極が前記電圧規定エレメントと前記第２抵抗との間の接続点に結合され、第１主電極が前記共通端子に結合され、且つ、第２主電極が第１コンデンサ及び第２コンデンサの第２直列接続を介して前記共通端子に結合されたトランジスタとを有し、前記第１コンデンサと前記第２コンデンサとの間の接続点が前記出力端子に結合された請求項５に記載のコントローラ。
【請求項８】
請求項１に記載のコントローラを有するフライバックコンバータ又はバックブーストコンバータ。
【請求項９】
請求項８に記載のフライバックコンバータ又はバックブーストコンバータを有すると共に、負荷を更に有する機器。
【請求項１０】
電圧信号を供給する電圧源に接続されるべきフライバックコンバータ又はバックブーストコンバータを有するコンバータのスイッチを制御するための制御信号を調整する方法であって、前記電圧信号の振幅の増加に応答して前記スイッチの導通時間の期間を増加させる一方、前記電圧信号の振幅の減少に応答して前記スイッチの導通時間の期間を減少させるステップを有する方法。
【請求項１１】
請求項１０に記載の方法のステップを実行するコンピュータプログラム。
【請求項１２】
請求項１１に記載のコンピュータプログラムを記憶して持つ媒体。